(57)【要約】【課題】  小型化が図れる多段シーソースイッチを提供する。【解決手段】  キートップ８０の下面に設置された第一のフレキシブル回路基板６０に設けた第一のスイッチ６６と、取付部材１０上に取り付けた第二のフレキシブル回路基板２０の第一のスイッチ６６に対向する位置に設置された第二のスイッチ２６と、第一、第二のフレキシブル回路基板２０の間に設置される作動部材４０とを具備する二段シーソースイッチ１である。作動部材４０は、第一、第二のスイッチ６６、２６の間に配置されその上下面４２ａ、４２ｂがそれぞれ第一、第二のスイッチ６６、２６を押圧する押圧部４２と、取付部材１０に取り付けられる基部４１と、基部４１と押圧部４２間を連結するアーム部４４と、押圧部４２を囲む枠部４５とを具備する。キートップ８０を揺動して下降することで、押圧部４２の上下面４２ａ、４２ｂが第一、第二のスイッチ６６、２６を順次オンする。【選択図】図１
2006179396.tif 000002
【特許請求の範囲】
【請求項１】
中心軸を中心として揺動自在に軸支されたキートップと、前記キートップが揺動して下降する各々の位置に設置されたスイッチとを備え、前記スイッチのうち少なくともいずれかのスイッチが多段スイッチである多段シーソースイッチにおいて、
前記多段スイッチは、前記キートップの下面に設置された第一のスイッチと、取付部材上に取り付けたフレキシブル回路基板の前記第一のスイッチに対向する位置に設置された第二のスイッチとからなり、
前記第一、第二のスイッチの間に配置されその上下面がそれぞれ第一、第二のスイッチを押圧する押圧部と、前記取付部材上に取り付けられる基部と、前記基部から前記第一、第二のスイッチの間まで延伸して前記押圧部に連結される上下方向に可撓性を有するアーム部と、前記押圧部の外側を囲み前記フレキシブル回路基板を前記取付部材に押し付けて取り付ける枠部とを具備して構成される作動部材を備え、
前記キートップを揺動して下降させることで、前記押圧部の上下面が前記第一のスイッチと第二のスイッチをオンする構造に構成されていることを特徴とする多段シーソースイッチ。
【請求項２】
中心軸を中心として揺動自在に軸支されたキートップと、前記キートップが揺動して下降する各々の位置に設置されたスイッチとを備え、前記スイッチのうち少なくともいずれかのスイッチが多段スイッチである多段シーソースイッチにおいて、
前記多段スイッチは、前記キートップの下面に設置された第一のフレキシブル回路基板に設けた第一のスイッチと、取付部材上に取り付けた第二のフレキシブル回路基板の前記第一のスイッチに対向する位置に設けた第二のスイッチとからなり、
前記第一又は第二のフレキシブル回路基板のいずれかと一体に設けたフレキシブル基板に押圧部を設けてなる作動部材を備え、
この作動部材を前記第一、第二のフレキシブル回路基板の間に配置することで前記押圧部の上下面がそれぞれ第一、第二のスイッチを押圧する位置に設置され、
前記キートップを揺動して下降させることで、前記作動部材の前記押圧部の上下面が前記第一のスイッチと第二のスイッチをオンする構造に構成されていることを特徴とする多段シーソースイッチ。
【請求項３】
請求項２に記載の多段シーソースイッチにおいて、
前記作動部材の前記フレキシブル基板は、前記第一又は第二のフレキシブル回路基板と連結部で連結されており、前記連結部が折り返されることで前記押圧部が前記第一のスイッチと第二のスイッチの間に配置されていることを特徴とする多段シーソースイッチ。
【発明の詳細な説明】
【技術分野】
【０００１】
本発明は、中心軸を中心として揺動可能に軸支されたキートップが揺動して下降する各々の位置にスイッチを設置してなるシーソースイッチに関し、特にこれらスイッチのうち少なくともいずれかのスイッチが多段スイッチである多段シーソースイッチに関する。
【背景技術】
【０００２】
従来、各種電子機器に使用される多段シーソースイッチとして、特許文献１に開示された構成のものがある。この多段シーソースイッチは、中心軸を中心として揺動するキートップの下側に回路基板を設置し、回路基板上のキートップが揺動して下降する位置に多段スイッチを設けて構成されている。多段スイッチは、多段スイッチとなる第一、第二のスイッチを回路基板の同一平面上に並べて配設した構成であり、第一、第二のスイッチ上にはそれぞれ反転板が載置されると共に、キートップ下面の第一、第二のスイッチに対向する各々の位置には押圧部が設けられている。この多段シーソースイッチは、キートップが揺動して下降すると、まず一方の押圧部がこれに対向する反転板を押圧・反転してそのスイッチをオンし、さらにキートップを下降するともう一方の押圧部がこれに対向する反転板を押圧・反転してそのスイッチもオンするように構成されている。
【特許文献１】実開平４−１１５７３４号公報
【発明の開示】
【発明が解決しようとする課題】
【０００３】
しかしながら、上記従来の多段シーソースイッチにおいては、多段スイッチを構成する第一、第二のスイッチが回路基板の同一平面上に並べて設置されているため、多段スイッチの設置面積が広くなってしまい、その分多段シーソースイッチの小型化、特に面方向の小型化を図ることができないという問題があった。
【０００４】
本発明は上述の点に鑑みてなされたものでありその目的は、その小型化を図ることができる多段シーソースイッチを提供することにある。
【課題を解決するための手段】
【０００５】
本願の請求項１に記載の発明は、中心軸を中心として揺動自在に軸支されたキートップと、前記キートップが揺動して下降する各々の位置に設置されたスイッチとを備え、前記スイッチのうち少なくともいずれかのスイッチが多段スイッチである多段シーソースイッチにおいて、前記多段スイッチは、前記キートップの下面に設置された第一のスイッチと、取付部材上に取り付けたフレキシブル回路基板の前記第一のスイッチに対向する位置に設置された第二のスイッチとからなり、前記第一、第二のスイッチの間に配置されその上下面がそれぞれ第一、第二のスイッチを押圧する押圧部と、前記取付部材上に取り付けられる基部と、前記基部から前記第一、第二のスイッチの間まで延伸して前記押圧部に連結される上下方向に可撓性を有するアーム部と、前記押圧部の外側を囲み前記フレキシブル回路基板を前記取付部材に押し付けて取り付ける枠部とを具備して構成される作動部材を備え、前記キートップを揺動して下降させることで、前記押圧部の上下面が前記第一のスイッチと第二のスイッチをオンする構造に構成されていることを特徴とする多段シーソースイッチにある。
【０００６】
本願の請求項２に記載の発明は、中心軸を中心として揺動自在に軸支されたキートップと、前記キートップが揺動して下降する各々の位置に設置されたスイッチとを備え、前記スイッチのうち少なくともいずれかのスイッチが多段スイッチである多段シーソースイッチにおいて、前記多段スイッチは、前記キートップの下面に設置された第一のフレキシブル回路基板に設けた第一のスイッチと、取付部材上に取り付けた第二のフレキシブル回路基板の前記第一のスイッチに対向する位置に設けた第二のスイッチとからなり、前記第一又は第二のフレキシブル回路基板のいずれかと一体に設けたフレキシブル基板に押圧部を設けてなる作動部材を備え、この作動部材を前記第一、第二のフレキシブル回路基板の間に配置することで前記押圧部の上下面がそれぞれ第一、第二のスイッチを押圧する位置に設置され、前記キートップを揺動して下降させることで、前記作動部材の前記押圧部の上下面が前記第一のスイッチと第二のスイッチをオンする構造に構成されていることを特徴とする多段シーソースイッチにある。
【０００７】
本願の請求項３に記載の発明は、請求項２に記載の多段シーソースイッチにおいて、前記作動部材の前記フレキシブル基板は、前記第一又は第二のフレキシブル回路基板と連結部で連結されており、前記連結部が折り返されることで前記押圧部が前記第一のスイッチと第二のスイッチの間に配置されていることを特徴とする多段シーソースイッチにある。
【発明の効果】
【０００８】
本願の請求項１に記載の発明によれば、多段スイッチを構成する第一、第二のスイッチを上下に対向する位置に設置したので、多段スイッチの設置面積を小さく（狭く）することができ、多段シーソースイッチの小型化、特に面寸法の小型化を図ることができる。また第一，第二のスイッチの間に両スイッチを押圧する一つの押圧部を設置したので、第一，第二のスイッチを上下に重ねて設置してもこれらを押圧する押圧部をそれぞれ別々に二つ設置する必要はなく、多段スイッチの厚みの薄型化も図れる。
【０００９】
また、請求項１に記載の発明によれば、作動部材の枠部によってフレキシブル回路基板の第二のスイッチの周囲を囲む部分を取付部材上に押さえ付けてこれを確実に固定することができる。したがって、第二のスイッチが取付部材から浮き上がることを確実に防止できるので第二のスイッチの動作が安定し、多段シーソースイッチの操作性が向上する。また、別途フレキシブル回路基板を取付部材上に取り付けるための部品を設ける必要がなく、部品点数を削減できるので、多段シーソースイッチの小型化、組立工程の簡素化、及び低コスト化を図ることができる。
【００１０】
本願の請求項２に記載の発明によれば、作動部材が、第一又は第二のフレキシブル回路基板と一体に構成されるので部品点数を削減でき、多段シーソースイッチの小型化、組立工程の簡素化、及び低コスト化を図ることができる。またこの発明においても、多段スイッチを構成する第一、第二のスイッチを上下に対向する位置に設置したので、多段スイッチの設置面積を小さく（狭く）することができ、多段シーソースイッチの小型化、特に面寸法の小型化を図ることができ、また第一，第二のスイッチの間に両スイッチを押圧する一つの押圧部を設置したので、第一，第二のスイッチを上下に重ねて設置してもこれらを押圧する押圧部をそれぞれ別々に二つ設置する必要はなく、多段スイッチの厚みの薄型化も図れる。
【００１１】
本願の請求項３に記載の発明によれば、作動部材を連結部の部分で折り返すという簡単な構成で作動部材の押圧部を第一のスイッチと第二のスイッチの間に配置することができるので、多段シーソースイッチの小型化、組立工程の簡素化、及び低コスト化を図ることができる。
【発明を実施するための最良の形態】
【００１２】
以下、本発明の実施形態を図面に基づいて詳細に説明する。図１は本発明の第一実施形態にかかる二段シーソースイッチ１の概略側断面図である。また図２は二段シーソースイッチ１を上側から見た分解斜視図であり、図３は下側から見た分解斜視図である。これらの図に示すように二段シーソースイッチ１は、取付部材１０上に、第二のスイッチ２６を設けた第二のフレキシブル回路基板２０と作動部材４０を取り付け、その上に、第一のスイッチ６６を設けた第一のフレキシブル回路基板６０を下面に設置したキートップ８０を揺動可能に取り付けて構成されている。以下各構成部品について説明する。
【００１３】
取付部材（取付板）１０は、合成樹脂板や金属板等の硬質板の中央部付近に貫通孔からなる２つの取付固定部１１を設け、またその両端部にそれぞれつ１ずつ貫通孔からなる取付固定部１２を設けて構成されている。
【００１４】
第二のフレキシブル回路基板２０は、可撓性を有する合成樹脂フイルム（ポリエチレンテレフタレートフイルム〔ＰＥＴフイルム〕等）上に回路パターンを形成して構成されており、前記取付部材１０上に重ねて載置される寸法・形状の一対の基板部２１、２２と、これら基板部２１、２２を連結する連結部２３とを具備し（図２，図３では図示の都合上連結部２３を切断して示している）、この連結部２３の部分を折り返すことで両基板部２１、２２を互いに重ね合わせている。重ね合わせた一対の基板部２１、２２の対向する位置には、各々スイッチパターン２４、２５が印刷によって形成されており、またこれらスイッチパターン２４、２５の周囲にはこれらを囲むように絶縁層からなるスペーサ層２１ａ、２２ａが印刷によって形成されており、これらスイッチパターン２４、２５がスペーサ層２１ａ、２２ａの厚みによって所定の隙間を介して対向した状態になることで第二のスイッチ２６が形成されている。また、これら基板部２１、２２の取付部材１０の各取付固定部１１、１２に対向する位置には、それぞれ貫通孔からなる取付固定部２７、２８が設けられている。基板部２１、２２にそれぞれ設けた取付固定部２７、２８は、基板部２１、２２を重ね合わせた際に一致する位置にある。
【００１５】
第二のスイッチ２６は、キートップ８０が揺動して下降する面に対向する位置に設けられており、特に本実施形態では、キートップ８０が揺動して下降する揺動中心軸の両側の下面に対向する位置にそれぞれ第二のスイッチ２６、２６が設けられている。そして、基板部２２のスイッチパターン２５を設けた面の裏面側（図２、図３では上面側）のスイッチパターン２５に対向する位置に反転板２９を設置している。反転板２９は弾性板（この実施形態では弾性金属板）をドーム形状に形成することで反転時にクリック感覚を生じるように構成されている。なお反転板２９は、スイッチ２６を押圧する際のクリック感覚が不要の場合は設置する必要はない。
【００１６】
次に、作動部材４０は合成樹脂の一体成形品であり、取付部材１０上に取り付けられる基部４１と、その上下面４２ａ、４２ｂがそれぞれ第一、第二のスイッチ６６、２６を押圧する押圧部４２と、前記基部４１から第一、第二のスイッチ６６、２６の間まで延伸して前記押圧部４２に連結される上下方向に可撓性を有するアーム部４４と、押圧部４２の外側を囲み第二のフレキシブル回路基板２０を取付部材１０に押し付けて取り付ける枠部４５とを具備して構成されている。
【００１７】
基部４１は、作動部材４０の長手方向に沿って平行に一対の板部４３、４３を底板から立設した構成で、各板部４３、４３の外側面には外側方向（キートップ８０の揺動中心軸方向）に向かって突出する円柱状の突起からなる軸部４３ａ、４３ａが設けられている。また図３に示すように、基部４１底面の前記取付部材１０の取付固定部１１及び第二のフレキシブル回路基板２０の取付固定部２７に対向する位置には突起状の取付部４６が設けられている。一方、基部４１の前記作動部材４０の長手方向に向かう両端部４１ａ、４１ａからは略水平方向に向かって一対の平板状のアーム部４４、４４が突出し、両アーム部４４、４４の先端にはそれぞれ押圧部４２、４２が形成されている。アーム部４４、４４は容易に上下方向に撓むように薄い厚みに形成されている。アーム部４４、４４はそれぞれ第一、第二のスイッチ６６、２６の間まで延伸する長さ寸法で、押圧部４２の上面４２ａが第一のスイッチ６６の中心部に対向し、下面４２ｂが第二のスイッチ２６の中心部に対向して位置する。
【００１８】
枠部４５は、平板状の略リング状（略Ｃ字状）で、基部４１の両端部４１ａ、４１ａの各アーム部４４を取り付けている部分の両外側部分にその両端が接続されてアーム部４４及び押圧部４２の周囲を囲む環状に形成されている。図３に示すように、枠部４５下面の前記取付部材１０の取付固定部１２及び第二のフレキシブル回路基板２０の取付固定部２８に対向する位置には、突起状の取付部４７が設けられている。
【００１９】
第一のフレキシブル回路基板６０は、第二のフレキシブル回路基板２０と同様、可撓性を有する合成樹脂フイルム（ポリエチレンテレフタレートフイルム〔ＰＥＴフイルム〕等）上に回路パターンを形成したもので、連結部６３で連結された一対の基板部６１、６２を具備し（図２、図３では図示の都合上連結部６３を切断して示している）、この連結部６３の部分を折り返すことで両基板部６１、６２を互いに重ね合わせて構成している。重ね合せた一対の基板部６１、６２の対向する位置には、各々スイッチパターン６４、６５が印刷によって形成されており、またこれらスイッチパターン６４、６５の周囲にはこれらを囲むように絶縁層からなるスペーサ層６１ａ、６２ａが印刷によって形成され、これらスイッチパターン６４、６５がスペーサ層６１ａ、６２ａの厚みによって所定の隙間を介して対向した状態となることで第一のスイッチ６６が形成されている。この第一のスイッチ６６は、キートップ８０が揺動して下降する面に対向する位置であって前記第二のスイッチ２６に対向する位置に設けられており、特に本実施形態では、キートップ８０が揺動して下降する揺動中心軸の両側の下面に対向する位置にそれぞれ設けられている。
【００２０】
そして、基板部６１のスイッチパターン６４を設けた面の裏面側（図２、図３では下面側）のスイッチパターン６４に対向する位置に反転板６９を設置している。この反転板６９の構成は反転板２９と同様である。この反転板２９も、第一のスイッチ６６を押圧する際のクリック感覚が不要の場合は設置する必要はない。また、第一のフレキシブル回路基板６０を構成する基板部６１、６２のそれぞれ中央部付近であって前記作動部材４０の基部４１に対向する位置には、それぞれ略矩形状の開口部７０及び凹部７１が形成されている。また基板部６１、６２のそれぞれ開口部７０及び凹部７１の近傍部分と外周近傍部分には、それぞれ同一形状の穴又は溝からなる取付固定部７２が設けられている。基板部６１、６２にそれぞれ設けた開口部７０、凹部７１、取付固定部７２は、基板部６１、６２を重ね合わせた際に一致する位置にある。
【００２１】
本実施形態では、第一、第二のフレキシブル回路基板６０、２０は連結部３０によって連結されており（図２、図３では図示の都合上連結部３０を切断して示している）、これらは一枚のフレキシブル回路基板を折り畳むことによって構成されている。なお、第一、第二のフレキシブル回路基板６０、２０はこれらを連結しないで別々のフレキシブル回路基板として独立した構成にすることもできる。
【００２２】
キートップ８０は、合成樹脂の成形品であり、その揺動中心軸に略直交する方向に向かって若干湾曲しながら略矩形状に延伸する形状に形成されている。そして、その下面８０ａの中央部の両側部に一対の平板状の突起からなる軸支部８１、８１を設けると共に、下面８０ａの前記第一のフレキシブル回路基板６０の各取付固定部７２に対向する位置に小突起からなる取付部８３を設けている。軸支部８１、８１には、円形の貫通穴からなる軸部取付部８２、８２を設けている。一方、キートップ８０上面の両端部近傍は操作部８４になっている。
【００２３】
次に、二段シーソースイッチ１の組み立て方法を説明すると、まず、取付部材１０上に基板部２１、２２を重ね合わせた第二のフレキシブル回路基板２０を載置し、さらにその上に作動部材４０を載置して作動部材４０の各取付部４６を第二のフレキシブル回路基板２０の各取付固定部２７と取付部材１０の各取付固定部１１に挿入すると共に、各取付部４７を第二のフレキシブル回路基板２０の各取付固定部２８と取付部材１０の各取付固定部１２に挿入して、取付部材１０の裏面側で各取付部４６、４７の先端を熱カシメしてこれら部材を一体に固定する。一方、キートップ８０の下面８０ａに基板部６１、６２を重ね合わせた第一のフレキシブル回路基板６０を取り付け、その際軸支部８１、８１を開口部７０及び凹部７１から下方に突出させ、同時に各取付部８３を第一のフレキシブル回路基板６０の各取付固定部７２に挿入して、第一のフレキシブル回路基板６０の下面側で、各取付部８３の先端を熱カシメしてこれら部材を一体に固定する。
【００２４】
そして、第一のフレキシブル回路基板６０を取り付けたキートップ８０を作動部材４０の上部に設置して、軸支部８１、８１の軸部取付部８２、８２に作動部材４０の軸部４３ａ、４３ａをスナップイン係合により回動自在に取り付ける。以上により二段シーソースイッチ１の組み立てが完了する。
【００２５】
この二段シーソースイッチ１は、図１に示すように、互いに対向して上下に配置された第一、第二のスイッチ６６、２６で二段スイッチが構成され、第一、第二のスイッチ６６、２６の間に作動部材４０の押圧部４２が配置されている。このように、二段スイッチを構成する各スイッチ６６、２６を上下に対向する位置に設置したので、二段スイッチの設置面積が小さくなり、二段シーソースイッチ１の面寸法の小型化を図ることができる。また第一，第二のスイッチ６６、２６の間に両スイッチ６６、２６を押圧する一つの押圧部４２を設置したので、第一，第二のスイッチ６６、２６を上下に重ねて設置してもこれらを押圧する押圧部４２をそれぞれ別々に二つ設置する必要はなく、二段スイッチの厚みの薄型化も図れる。また、作動部材４０の枠部４５によってフレキシブル回路基板２０の第二のスイッチ２６の周囲を囲む部分を取付部材１０上に押さえ付けてこれを確実に固定している。したがって、第二のスイッチ２６が取付部材１０から浮き上がることを確実に防止できるので第二のスイッチ２６の動作が安定し、多段シーソースイッチ１の操作性が向上する。さらに、別途第二のフレキシブル回路基板２０を取付部材１０に取り付けるための部品を設ける必要がなく、部品点数を削減でき構成が簡単になる。従って、二段シーソースイッチ１の小型化に加えて、組立工程の簡素化、及び低コスト化を図ることができる。
【００２６】
次に、図１と、図４の動作説明図を用いて、二段シーソースイッチ１の動作を説明する。ここでこの実施形態では反転板２９よりも反転板６９の方が弱い力で反転するものとする。図１に示す状態からキートップ８０のいずれかの操作部８４（図では右側）を押圧すると、軸部４３ａ、４３ａを中心としてキートップ８０が揺動し、押圧した操作部８４が下降する。そして、図４（ａ）に示すように押圧部４２の上面４２ａが反転板６９を押圧して反転させ、第一のスイッチ６６が押圧されてオンする。この状態からさらに操作部８４を押圧すると、アーム部４４が撓んで操作部８４がさらに下降して、同図（ｂ）に示すように押圧部４２の下面４２ｂが反転板２９を押圧してこれを反転させ、第二のスイッチ２６が押圧されてオンする。
【００２７】
一方、操作部８４の押圧を解除すると、反転板２９の反転力とアーム部４４の復元力によって押圧部４２とキートップ８０が同時に上方へ移動して第二のスイッチ２６がオフし、続いて反転板６９の反転力によってキートップ８０が上方へ移動して第一のスイッチ６６もオフする。
【００２８】
図５は、本発明の他の実施形態にかかる二段シーソースイッチ１−２の構成を示す概略側断面図である。また、図６は二段シーソースイッチ１−２を上方から見た分解斜視図であり、図７は下方から見た分解斜視図である。これらの図に示す二段シーソースイッチ１−２において、図１に示す二段シーソースイッチ１と同一又は相当部分には同一符号を付す。なお以下で説明する事項以外の事項については、第一実施形態と同じである。これらの図に示す二段シーソースイッチ１−２において、前記二段シーソースイッチ１と相違する概要は、作動部材４０に代えて、第一のフレキシブル回路基板６０に一体に取り付けられる作動部材５０を設けた点と、取付部材１０に代えて取付部材１０と少し形状・構造の異なる取付部材９０を設けた点と、第二のフレキシブル回路基板２０に少しの形状変更を加えた点とである。以下変更した部材及び変更箇所を説明する。
【００２９】
作動部材５０は、第一のフレキシブル回路基板６０に設けた二つの第一のスイッチ６６にそれぞれ対応して一対設けられ、何れの作動部材５０も、図６、図７に示すように第一のフレキシブル回路基板６０の上側の基板部６２の外周の所定位置において連結部５３によって連結されるフレキシブル基板５１と、フレキシブル基板５１の中央部付近に取り付けられる押圧部５２とを具備して構成されている。フレキシブル基板５１は第一のフレキシブル回路基板６０を構成する合成樹脂フイルムと同一フイルムで一体に形成され、その外形形状は前記基板部６１、６２の第一のスイッチ６６を設けた部分の周囲の外形形状とほぼ同一形状に形成されている。そしてフレキシブル基板５１の前記第一のフレキシブル回路基板６０の各取付固定部７２に対向する位置にはそれぞれ穴又は溝からなる取付固定部５４を設けている。一方押圧部５２は、フレキシブル基板５１の中央部付近に設けた小穴（図示せず）を介してその上下に突出するように円柱状に合成樹脂材を取付けて構成されている。なお押圧部５２の形状・構造には種々の変形が可能であり、例えばフレキシブル基板５１に小穴を設けず、その上下面に合成樹脂材を塗布して構成したり成形樹脂材を貼り付けて構成したりしても良い。
【００３０】
一方取付部材９０は、合成樹脂板等の硬質板で構成されており、その上面の中央部付近（キートップ８０の軸支部８１、８１に対向する位置）に、取付部材９０の長手方向に沿って平行に立接する一対の板部９２、９２からなる揺動支持部９１が設置されている。各板部９２、９２の外側を向く面（対向面の裏面）には、各々外側に向けて突出する円柱状の突起からなる軸部９２ａ、９２ａが設けられている。一方、取付部材９０上面の所定位置には小突起状の二本の取付部９３が設けられている。また第二のフレキシブル回路基板２０には、前記揺動支持部９１の各板部９２、９２をそれぞれ挿通する略矩形の一対の開口部３１を設け、また前記取付部９３に対向する位置にはそれぞれこれらを貫通する小穴からなる取付固定部３２を設けている。
【００３１】
次に、二段シーソースイッチ１−２の組み立て方法を説明すると、まず取付部材９０上に基板部２１、２２を重ね合わせた第二のフレキシブル回路基板２０を載置して、揺動支持部９１を開口部３１から突出させると共に各取付部９３を各取付固定部３２に挿入して、第二のフレキシブル回路基板２０の上面側で各取付部９３の先端を熱カシメしてこれら部材を一体に固定する。一方基板部６１、６２を重ね合わせた第一のフレキシブル回路基板６０をキートップ８０の下面８０ａに載置するとともに、作動部材５０をその連結部５３の部分で折り返すことで第一のフレキシブル回路基板６０の下面側に載置し、その際キートップ８０の各取付部８３を第一のフレキシブル回路基板６０の各取付固定部７２と作動部材５０の各取付固定部５４に挿入し、作動部材５０の下面側で各取付部８３の先端を熱カシメしてこれら部材を一体に固定する。
【００３２】
そして、第一のフレキシブル回路基板６０と作動部材５０とを取り付けたキートップ８０を第二のフレキシブル回路基板２０の上部に設置して、軸支部８１、８１の軸部取付部８２、８２に取付部材９０の軸部９２ａ、９２ａをスナップイン係合で回動自在に取り付ける。以上により二段シーソースイッチ１−２の組み立てが完了する。
【００３３】
二段シーソースイッチ１−２は、図５に示すように互いに対向して上下に配置された第一、第二のスイッチ６６、２６の間に、作動部材５０の押圧部５２が配置され、押圧部５２の上面５２ａが第一のスイッチ６６の中心部に対向し、下面５２ｂが第二のスイッチ２６の中心部に対向して位置する。この二段シーソースイッチ１−２は、反転板２９よりも反転板６９の方が弱い力で反転するように構成しており、いずれかの操作部８４を押圧して下降させると、押圧部５２の上面５２ａが反転板６９を押圧してこれを反転し、第一のスイッチ６６を押圧してこれをオンする。そこからさらに操作部８４を押圧して下降させると、押圧部５２の下面５２ｂが反転板２９を押圧して反転させ、第二のスイッチ２６を押圧してこれをオンする。本実施形態では、作動部材５０を第一のフレキシブル回路基板６０に一体に取り付けた場合を示したが、その代りに第二のフレキシブル回路基板２０に一体に取り付けてもよい。その場合は、作動部材５０を構成するフレキシブル基板５１を第二のフレキシブル回路基板２０の上面に固定するようにすればよい。
【００３４】
この実施形態の場合も、前記実施形態にかかる二段シーソースイッチ１の場合と同様に、二段シーソースイッチ１−２を構成する第一、第二のスイッチ６６、２６を上下に対向する位置に設置したので、二段スイッチの設置面積を小さく（狭く）することができ、二段シーソースイッチ１−２の小型化、特に面寸法の小型化を図ることができ、また第一，第二のスイッチ６６、２６の間に両スイッチ６６、２２を押圧する一つの押圧部５２を設置したので、第一，第二のスイッチ６６、２２を上下に重ねて設置してもこれらを押圧する押圧部５２をそれぞれ別々に二つ設置する必要はなく、二段スイッチの厚みの薄型化も図れる。更にこの実施形態の場合、作動部材５０が、第一又は第二のフレキシブル回路基板６０、２０と一体に構成されるので、図１に示す二段シーソースイッチ１で用いた作動部材４０が不要となり、また作動部材５０を連結部５３の部分で折り返すという簡単な構成で作動部材５０の押圧部５２を第一のスイッチ６６と第二のスイッチ２６の間に配置することができるので、更なる小型化、組立工程の簡素化、及び低コスト化を図ることができる。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、上記実施形態では第一、第二のスイッチの構造を、一対の基板部に設けたスイッチパターンを間隙をもって対向させてその上に反転板を取り付ける構成としているが、第一、第二のスイッチとしてはこれ以外にも、例えば、一枚のフレキシブル回路基板上に点状の接点パターンとその周囲を囲むＣ字状の接点パターンとを設け、周囲を囲む接点パターン上に反転板の外周が当接するように載置した構造のスイッチ等、他の種々の構成のスイッチであってもよい。
【００３６】
また、上記実施形態ではキートップが揺動する左右各々の位置に設置したスイッチを共に第一、第二のスイッチからなる二段スイッチとしたが、三段以上の多段スイッチとしてもよく、またいずれか一方の側のスイッチが本願発明を用いて構成された多段スイッチであれば、他方の側のスイッチは一段スイッチあるいは本願発明を用いない構造の多段スイッチとしても良い。また上記実施形態では第一のスイッチをフレキシブル回路基板上に設置した場合を示したが、第一のスイッチは硬質の回路基板上に設置したスイッチでもよいし、あるいは回路基板を用いないで構成したスイッチでもよい。
【図面の簡単な説明】
【００３７】
【図１】本発明の一実施形態にかかる二段シーソースイッチ１の概略側断面図である。
【図２】二段シーソースイッチ１の分解斜視図（上側）である。
【図３】二段シーソースイッチ１の分解斜視図（下側）である。
【図４】二段シーソースイッチ１の動作説明図であり、同図（ａ）は、操作部８４を押圧した状態を示し、同図（ｂ）は同図（ａ）の状態からさらに操作部８４を押圧した状態を示す。
【図５】本発明の他の実施形態にかかる二段シーソースイッチ１−２の概略側断面図である。
【図６】二段シーソースイッチ１−２の分解斜視図（上側）である。
【図７】二段シーソースイッチ１−２の分解斜視図（下側）である。
【符号の説明】
【００３８】
１  二段シーソースイッチ
１−２  二段シーソースイッチ
１０  取付部材
２０  第二のフレキシブル回路基板
２３  連結部
２６  第二のスイッチ
２９  反転板
３０  連結部
４０  作動部材
４１  基部
４２  押圧部
４３ａ  軸部
４４  アーム部
４５  枠部
５０  作動部材
５１  フレキシブル基板
５２  押圧部
５３  連結部
６０  第一のフレキシブル回路基板
６３  連結部
６６  第一のスイッチ
６９  反転板
８０  キートップ
８１  軸支部
８２  軸部取付部
９０  取付部材
９１  揺動支持部
９２ａ  軸部
【図１】
2006179396.tif 000003
【図２】
2006179396.tif 000004
【図３】
2006179396.tif 000005
【図４】
2006179396.tif 000006
【図５】
2006179396.tif 000007
【図６】
2006179396.tif 000008
【図７】
2006179396.tif 000009